(57)【特許請求の範囲】
【請求項１】
画面上に情報を表示するための表示パネルと、
前記表示パネルの背面側から光を照射して当該表示パネルを照明する照明手段と、
前記照明手段の点灯を制御する制御手段と、
を備え、
前記照明手段は、複数のブロックに分割された光源を備えており、
前記制御手段は、各ブロックの光源の第１の点灯、前記第１の点灯より輝度の低い第２の点灯、および消灯を個別に制御して、各ブロックに対応する前記表示パネルの各領域を第１の点灯、第２の点灯、または消灯させ、さらに、画面上で位置指示を与える位置指示手段が、前記表示パネルの第１の点灯領域から消灯領域に移動した場合には、当該消灯領域が第２の点灯となるように前記照明手段を制御することを特徴とする表示装置。 
【請求項２】
前記制御手段は、前記画面上で位置指示を与える位置指示手段が、前記表示パネルの第２の点灯領域から第１の点灯領域に移動した場合には、当該第２の点灯領域が消灯となるように前記照明手段を制御することを特徴とする請求項１に記載の表示装置。 
【請求項３】
前記制御手段は、前記画面上のアクティブウィンドウのサイズを、点灯する領域のサイズに変更した後、アクティブウィンドウ以外の領域を第２の点灯または消灯することを特徴とする請求項１又は請求項２に記載の表示装置。 
【請求項４】
バッテリの残量を検知するバッテリ残量検知手段を備え、
前記バッテリ駆動時に、前記バッテリの残量に基づいて、前記表示パネルの第１の点灯をする領域のサイズを変更することを特徴とする請求項１〜請求項３のいずれか１つに記載の表示装置。 
【請求項５】
前記照明手段は、光を発するライン型ＬＥＤモジュールと、前記ライン型ＬＥＤモジュールから発せられた光を反射させる反射板とで構成されることを特徴とする請求項１〜請求項４のいずれか１つに記載の表示装置。 
【請求項６】
画面上に情報を表示するための表示パネルと、複数のブロックに分割された光源を有し、前記表示パネルの背面側から光を照射して当該表示パネルを照明する照明手段と、を備えた表示装置に搭載される電力制御用プログラムにおいて、
前記照明手段の各ブロックの光源の第１の点灯、前記第１の点灯より輝度の低い第２の点灯、および消灯を個別に制御して、各ブロックに対応する表示パネルの各領域を第１の点灯、第２の点灯、または消灯させる工程をコンピュータに実行させ、
前記工程では、画面上で位置指示を与える位置指示手段が、前記表示パネルの第１の点灯領域から消灯領域に移動した場合には、当該消灯領域が第２の点灯となるように前記照明手段を制御することを特徴とする電力制御用プログラム。
【発明の詳細な説明】
【技術分野】
【０００１】
本発明は、表示装置およびその電力制御用プログラムに関し、詳細には、ユーザの利便性と消費電力低減を両立させることが可能な表示装置およびその電力制御用プログラムに関する。
【背景技術】
【０００２】
液晶を用いたＬＣＤ（Liquid Crystal Display）画面を利用して表示をおこなう表示装置は、小型化が容易であるなど、多くの利点を有するので、技術的進歩に伴って、近年、急速に普及している。これらの液晶表示装置においては、表示画面の背面から照明を行うバックライト装置が必要となる。かかるバックライト装置としては、例えば、蛍光管を利用したものが挙げられるが、特に小型化及び薄型化を図る必要がある場合には、ＬＥＤ、ＥＬ（Electronic Luminescence ）素子が利用されている。
【０００３】
バックライト装置では、省電力の要求が高く、各種の省電力技術が提案されている。例えば、特許文献１では、液晶表示部とバックライト光源を備える画像表示装置において、バックライト光源の消費電力を低減するために、光源制御部は、所定の光源体のみを点灯させて液晶表示部の所定の範囲のみを照射するとともに、表示制御部は照射範囲に対応する範囲のみに画像を表示する技術が提案されている。
【０００４】
また、特許文献２では、画面を背面側から照明する照明装置の電力消費を抑えるために、表示・バックライト制御部の制御に基づいて、バックライト装置の３分割された各光源のうち、上方に液晶表示パネル（ＬＣＤ）の有効表示領域（ウィンドウ）が存在する光源だけを点灯させることにより、バックライト装置の電力消費を抑える技術が提案されている。  
【０００５】
また、特許文献３では、ＬＣＤの背面にマトリクス上に配置された複数の照明装置の点灯及び消灯を制御するバックライト制御装置であって、ＣＰＵによって生成される表示情報に基づいて、ＬＣＤ上に表示されるデータの表示位置をバックライト駆動装置によって特定し、この特定された位置に対応する照明装置のみを点灯させることにより、ＬＣＤにおいて表示が行われる部分のみに対して照明を行う技術が提案されている。
【０００６】
【特許文献１】特開２００１−２１８６３号公報
【特許文献２】特開平９−２８８２７２公報
【特許文献３】特開平１１−１８４４４２号公報
【発明の開示】
【発明が解決しようとする課題】
【０００７】
しかしながら、上記特許文献１〜３は、消費電力低減のために、バックライトを複数に分割して、所定の範囲のみを照射して、他の領域を消灯するものであるため、ユーザの使い勝手が悪いという問題がある。すなわち、上記特許文献１〜３では、消費電力低減のために、点灯および消灯の２段階でバックライトを制御していたため、ユーザが使用しているウィンドウ（アクティブウィンドウ）は点灯しているが、画面上の他の領域は消灯しているので、使用しているウィンドウ以外の画面上に表示される他の情報を簡単に確認することができず、ユーザの使い勝手が悪いという問題がある。
【０００８】
本発明は、上記課題に鑑みてなされたものであり、消費電力の低減とユーザの利便性とを両立させることが可能な表示装置およびその電力制御用プログラムを提供することを目的とする。  
【課題を解決するための手段】
【０００９】
上述した課題を解決し、目的を達成するために、本発明は、画面上に情報を表示するための表示パネルと、前記表示パネルの背面側から光を照射して当該表示パネルを照明する照明手段と、前記照明手段の点灯を制御する制御手段と、を備え、前記照明手段は、複数のブロックに分割された光源を備えており、前記制御手段は、各ブロックの光源の第１の点灯、前記第１の点灯より輝度の低い第２の点灯、および消灯を個別に制御して、各ブロックに対応する表示パネルの各領域を第１の点灯、第２の点灯、または消灯させることを特徴とする。
【００１０】
また、本発明の好ましい態様によれば、前記制御手段は、画面上で位置指示を与える位置指示手段が、前記表示パネルの第１の点灯領域から消灯領域に移動した場合には、当該消灯領域が第２の点灯となるように前記照明手段を制御することが望ましい。
【００１１】
また、本発明の好ましい態様によれば、前記制御手段は、画面上で位置指示を与える位置指示手段が、前記表示パネルの第２の点灯領域から第１の点灯領域に移動した場合には、当該第２の点灯領域が消灯となるように前記照明手段を制御することが望ましい。
【００１２】
また、本発明の好ましい態様によれば、前記制御手段は、前記画面上のアクティブウィンドウのサイズを、点灯する領域のサイズに変更した後、アクティブウィンドウ以外の領域を第２の点灯または消灯することが望ましい。
【００１３】
また、本発明の好ましい態様によれば、バッテリの残量を検知するバッテリ残量検知手段を備え、前記バッテリ駆動時に、前記バッテリの残量に基づいて、前記表示パネルの第１の点灯をする領域のサイズを変更することが望ましい。
【００１４】
また、本発明の好ましい態様によれば、前記照明手段は、光を発するライン型ＬＥＤモジュールと、前記ライン型ＬＥＤモジュールから発せられた光を反射させる反射板とで構成されることが望ましい。
【００１５】
上述した課題を解決し、目的を達成するために、本発明は、画面上に情報を表示するための表示パネルと、複数のブロックに分割された光源を有し、前記表示パネルの背面側から光を照射して当該表示パネルを照明する照明手段と、を備えた表示装置に搭載される電力制御用プログラムにおいて、前記照明手段の各ブロックの光源の第１の点灯、前記第１の点灯より輝度の低い第２の点灯、および消灯を個別に制御して、各ブロックに対応する表示パネルの各領域を第１の点灯、第２の点灯、または消灯させる工程をコンピュータに実行させることを特徴とする。
【発明の効果】
【００１６】
本発明によれば、画面上に情報を表示するための表示パネルと、前記表示パネルの背面側から光を照射して当該表示パネルを照明する照明手段と、前記照明手段の点灯を制御する制御手段と、を備え、前記照明手段は、複数のブロックに分割された光源を備えており、前記制御手段は、各ブロックの光源の第１の点灯、前記第１の点灯より輝度の低い第２の点灯、および消灯を個別に制御して、各ブロックに対応する表示パネルの各領域を第１の点灯、第２の点灯、または消灯させることとしたので、消費電力の低減とユーザの利便性とを両立させることが可能な表示装置を提供することが可能になるという効果を奏する。
【発明を実施するための最良の形態】
【００１７】
以下に、この発明につき図面を参照しつつ詳細に説明する。なお、この実施例によりこの発明が限定されるものではない。また、下記実施例における構成要素には、当業者が容易に想定できるものまたは実質的に同一のものが含まれる。
【実施例】
【００１８】
図１は、本発明にかかる表示装置をバッテリ駆動型のノートパソコンに適用した場合の概略のハードウェア構成例を示す図である。実施例１に係る表示装置は、同図に示すように、ＣＰＵ１１、ＲＯＭ１２、ＲＡＭ１３、ＨＤＤ（ハードディスク）１４、ディスプレイ１５、光学ドライブ装置１６、ネットワークカード１７、入力部１８、ＵＳＢポート１９、バッテリ２０、パワーコントローラ２１、ＤＣ−ＤＣコンバータ２２、およびＡＣアダプタ２３等を備えており、各部はバスを介して接続されている。 
【００１９】
ＣＰＵ１１は、バスを介して接続されたＨＤＤ１４に格納されたマルチタスクＯＳ１４ａによりノート型パソコン全体の制御を行うとともに、ＨＤＤ１４に格納された各種のプログラムに基づいて処理を実行する機能を司る。ＲＯＭ１２は、ＢＩＯＳ１２ａやデータ等を格納している。ＲＡＭ１３は、ＣＰＵ１１による各種プログラムの実行時にワークエリアとして利用されるメモリ機能を有している。 
【００２０】
ネットワークカード１７は、インターネット等のネットワークに接続してデータ通信を行ったり、赤外線で他の機器と通信する機能を司る。 
【００２１】
入力部１８は、ユーザが入力操作を行うためのユーザインターフェースであり、文字、コマンド等を入力する各種キーより構成されるキーボードや、画面上のカーソルを移動させたり、各種メニューを選択するマウスおよびスライスパッドを備えている。
【００２２】
ＨＤＤ（ハードディスク）１４は、例えば、Ｗｉｎｄｏｗｓ（Ｒ）等のノート型パソコン全体の制御を行うためのマルチタスクＯＳ（マルチウィンドウＯＳ）１４ａ、各種ドライバ１４ｂ、消費電力を制御するパワーマネージャ１４ｃ、各種アプリケーションプログラム１４ｄ等を記憶する機能を有している。
【００２３】
ＡＣアダプタ２３は、商用電源に接続して、ＡＣ電圧をＤＣ電圧に変換してＤＣ−ＤＣコンバータ２２に出力する。ＤＣ−ＤＣコンバータ２２は、ＡＣアダプタ２３から供給されるＤＣ電圧を所定の電圧に変換して各部に電力を供給し、また、バッテリ２０の充電を行う。バッテリ２０は、ＤＣ−ＤＣコンバータ２２により充電され、充電した電圧を各部に供給する。パワーコントローラ２１は、バッテリ２０およびＤＣ−ＤＣコンバータ２２の動作を制御する。パワーコントローラ２１は、パワーマネージャ１４ｃからバッテリ２０のバッテリ残量の計測要求を受け付けると、バッテリ２０のバッテリ残量を計測して、計測結果をパワーマネージャ１４ｃに出力する。バッテリ２０は、ＡＣアダプタ２３が商用電源に接続されていない場合に使用される。
【００２４】
表示ユニット１６は、バックライトコントローラ３０、第１〜第３のＬＥＤＣ（第１〜第３のＬＥＤコントローラ）４０ａ〜４０ｃ、第１〜第３のＬＥＤＢ（第１〜第３のＬＥＤブロック）５０ａ〜５０ｃ、ＬＣＤコントローラ６０、ＬＣＤ（液晶表示パネル）７０等を備えている。
【００２５】
ＬＣＤ７０は、透過型または半透過型であり、ＣＰＵ１１の制御に従って、各種情報を表示する機能を有している。ＬＣＤコントローラ６０は、ＣＰＵ１１の制御に従って、ＬＣＤ６０の表示制御を行い、ＬＣＤ６０に各種情報を表示させる。
【００２６】
バックライトコントローラ３０，ＬＥＤコントローラで構成される第１〜第３のＬＥＤＣ（第１〜第３のＬＥＤコントローラ）４０ａ〜４０ｃ、および第１〜第３のＬＥＤＢ（第１〜第３のＬＥＤブロック）５０ａ〜５０ｃは、バックライト装置を構成する。
【００２７】
バックライトコントローラ３０は、ＣＰＵ（パワーマネージャ１４ｃ）１１から入力される制御情報（第１、第２、第３のＬＥＤＢ５０ａ〜５０ｃの全灯、減灯、および消灯の指示）に基づいて、第１〜第３のＬＥＤＣ４０ａ〜４０ｃを制御して、第１、第２、第３のＬＥＤＢ５０ａ〜５０ｃの全灯（第１の点灯）、減灯（第２の点灯）、消灯を個別に制御する。第１〜第３のＬＥＤＣ４０ａ〜４０ｃは、ＤＣ／ＤＣコンバータ２２から供給される直流電圧を約２０Ｖ〜４０Ｖの直流電圧に変換して、第１、第２、第３のＬＥＤＢ５０ａ〜５０ｃにそれぞれ出力する。
【００２８】
上記ＣＰＵ１１が、ＨＤＤ１４に格納されるパワーマネージャ１４ｃを読み出して実行することにより実現される機能について図３〜図７−２を参照しながら説明する。ＣＰＵ１１が、パワーマネージャ１４ｃを実行することにより、制御手段およびバッテリ残量検出手段として機能する。以下の説明では、ＣＰＵ１１がパワーマネージャ１４ｃを実行することにより実現される機能について、パワーマネージャ１４ｃを動作主体として説明する。
【００２９】
パワーマネージャ１４ｃは、バックライトコントローラ３０に、制御情報（第１、第２、第３のＬＥＤＢ５０ａ〜５０ｃの全灯、減灯、および消灯の指示）を出力して、第１、第２、第３のＬＥＤＢ５０ａ〜５０ｃの全灯（第１の点灯）、減灯（第２の点灯）、消灯を個別に制御する。また、パワーマネージャ１４ｃは、後述する第１の省電力処理（図３〜図４−２参照）および第２の省電力処理（図５〜図７−２参照）を実行する。第１の省電力処理では、省電力モードにおいて、画面上のアクティブウィンドウのサイズおよび位置を、点灯する領域のサイズおよび位置に変更した後、アクティブウィンドウ以外の領域を減灯または消灯させる。第２の省電力処理では、バッテリ駆動時に、マウスカーソル（位置指示手段）がＬＣＤ７０の減灯領域から全灯領域に移動した場合には、当該減灯領域を消灯にする一方、全灯領域から消灯領域に移動した場合には、当該消灯領域を減灯とし、また、バッテリ残量に応じて、全灯領域の大きさを変更する。
【００３０】
図２は、表示ユニット１６の構成を説明するための模式図である。第１、第２、第３のＬＥＤＢ５０ａ〜５０ｂは、ライン型ＬＥＤモジュールで構成されている。本実施例では、このライン型ＬＥＤモジュールを複数（３つ）のブロックに分割して、第１〜第３のＬＥＤＢ５０ａ〜５０ｂを形成している。第１、第２、第３のＬＥＤＢ５０ａ〜５０ｂは、ＬＣＤ７０の背面側下方に配置されており、第１、第２、第３のＬＥＤＢ５０ａ〜５０ｂから発せられる光を、ＬＣＤ７０に配置された反射板（不図示）で反射して、背面側からＬＣＤ７０の全面を照光する。また、ＬＣＤ７０の第１〜第３の領域Ａ１〜Ａ３は、それぞれ、第１〜第３のＬＥＤＢ５０ａ〜５０ｂと反射板により照光される。一般的に、ライン型ＬＥＤモジュールは、約４０〜６０個のＬＥＤが横一列に並ぶため、ＬＥＤの個数分のブロックに分割可能である。本実施例では、３つのブロック（第１、第２、第３のＬＥＤＢ５０ａ〜５０ｂ）に分割している。ライン型ＬＥＤモジュールが、例えば５０個のＬＥＤが横一列に並んで構成される場合の第１〜第３の領域Ａ１〜Ａ３の分割比は、例えば、（例１）Ａ１：Ａ２：Ａ３＝３０：１０：１０、（例２）Ａ１：Ａ２：Ａ３＝２５：１５：１０、（例３）Ａ１：Ａ２：Ａ３＝２５：１０：１５、（例４）Ａ１：Ａ２：Ａ３＝２０：２０：１０とすることができる。本実施例では、図２に示すように、Ａ１：Ａ２：Ａ３＝２５：１０：１５としている。
【００３１】
したがって、パワーマネージャ１４ｃは、第１〜第３のＬＥＤＢ５０ａ〜５０ｂの全灯（第１の点灯）、減灯（第２の点灯）、および消灯を個別に制御することで、ＬＣＤ７０の第１の領域〜第３の領域Ａ１〜Ａ３を個別に全灯（第１の点灯）、減灯（第２の点灯）、および消灯させることができる。第１〜第３のＬＥＤＢ５０ａ〜５０ｂは、例えば、０（暗）〜１５（明）段階の輝度レベルの調整が可能となっており、第２の点灯は第１の点灯よりも輝度レベルが低くなっている。例えば、本実施例では、第１の点灯（全灯）は、ユーザが快適に表示画面を視認できる輝度レベル（例えば、「１０」〜「１５」）、第２の点灯（減灯）は、ユーザが表示画面を視認可能な程度の輝度レベル（例えば、「３」〜「５」）、消灯は、ＬＥＤがＯＦＦの輝度レベル「０」としている。なお、本発明においては、全灯（第１の点灯）、減灯（第２の点灯）、および消灯の輝度レベルは、この実施例に限定されるものではない。
【００３２】
つぎに、図３、図４−１および図４−２を参照して、パワーマネージャ１４ｃが実行する第１の省電力処理を説明する。図３は、第１の省電力処理を説明するための説明図、図４−１および図４−２は、パワーマネージャ１４ｃが実行する第１の省電力処理を説明するためのフローチャートである。
【００３３】
図３において、１００は、ＬＣＤ７０の画面上に矩形の有効表示領域として設定されるウィンドウ（アクティブウィンドウ）である。ＬＣＤ７０の画面上に設定できるウィンドウは複数であるが、操作の対象となるウィンドウは一つだけであり、操作の対象となるウィンドウはアクティブウィンドウと称される。アクティブウィンドウの選択は、マウスカーソルを移動して、対象となるウィンドウ上でマウスボタンを押下（クリック）することにより行うことができる。尚、このウィンドウは、マウスの操作によりその大きさを変更したり、移動することができる。
【００３４】
同図において、Ｄ１は、通常モードでのＬＣＤ７０の画面表示を示している。この通常モードでは、ＬＣＤ７０の全領域Ａ１〜Ａ３が全灯されている。この状態で省電力モードに移行した場合には、Ｄ２に示すように、アクティブウィンドウ１００の位置と大きさを、全灯する領域の大きさに調整する。Ｄ２では、第１の領域Ａ１および第２の領域Ａ２を全灯、第３の領域Ａ３を消灯させる場合を示しており、アクティブウィンドウ１００を、第１の領域Ａ１および第２の領域Ａ２に対応した位置および大きさに変更する。この後、第３の領域Ａ３を消灯させる（Ｄ３）。なお、ここでは、アクティブウィンドウ１００の大きさおよび位置を調整した後に、消灯しているが、消灯させた後に、アクティブウィンドウ１００の大きさおよび位置を調整することにしてもよい。Ｄ３に示す省電力モードが解除された場合には、第３領域Ａ３の消灯を解除するとともに、アクティブウィンドウ１００の位置および大きさを通常モードの状態に戻す（Ｄ１）。このように、アクティブウィンドウ１００の位置および大きさを、点灯させる領域の位置および大きさに調整し、他の領域を消灯させることにより、ユーザの利便性（ＯＳの機能）を損なうことなく、消費電力を低減させることができる。なお、ここでは、アクティブウィンドウ以外の領域を消灯させることとしたが、第２の点灯としてもよい。
【００３５】
図４−１および図４−２に示すフローチャートを参照して、パワーマネージャ１４ｃが実行する第１の省電力処理を具体的に説明する。図４−１において、まず、パワーマネージャ１４ｃは、省電力モードであるか否かを判断する（ステップＳ１１）。省電力モードではない場合には（ステップＳ１１の「Ｎｏ」）、省電力モードに入る条件が成立しているか否かを判断する（ステップＳ１２）。省電力モードに入る条件が成立していない場合には（ステップＳ１２の「Ｎｏ」）、当該フローを終了する。省電力モードに入る条件が成立している場合には（ステップＳ１２の「Ｙｅｓ」）、ＬＣＤ７０の第３の領域Ａ３（図２参照）を消灯した後（ステップＳ１３）、第２の領域Ａ２の消灯条件が成立するか否かを判断する。
【００３６】
第２の領域Ａ２の消灯条件が成立しない場合には（ステップＳ１４の「Ｎｏ」）、ステップＳ１６に移行する一方、第２の領域Ａ２の消灯条件が成立する場合には（ステップＳ１４の「Ｙｅｓ」）、第２の領域Ａ２を消灯した後（ステップＳ１５）、ステップＳ１６に移行する。ステップＳ１６では、アクティブウィンドウの位置とサイズを第１の領域Ａ１の位置およびサイズに変更し、また、マウスカーソルの位置を点灯領域の中央に配置した後、当該フローを終了する。
【００３７】
他方、省電力モードである場合には（ステップＳ１１の「Ｙｅｓ」）、省電力モードの解除の条件が成立しているか否かを判断する（図４−２のステップＳ２１）。省電力モードの解除の条件が成立している場合には（ステップＳ２１の「Ｙｅｓ」）、第２、第３の領域Ａ２，Ａ３を全灯させて、アクティブウィンドウのサイズを元に戻す（ステップＳ２２）。
【００３８】
他方、省電力モードの解除の条件が成立していない場合には（ステップＳ２１の「Ｎｏ」）、第２の領域Ａ２が減灯中であるか否かを判断する（ステップＳ３１）。第２の領域Ａ２が減灯中である場合には（ステップＳ３１の「Ｙｅｓ」）、ステップＳ３５に移行する。第２の領域Ａ２が減灯中でない場合には（ステップＳ３１の「Ｎｏ」）、第２の領域Ａ２の消灯条件が成立しているか否かを判断する（ステップＳ３２）。第２の領域Ａ２の消灯条件が成立していない場合には（ステップＳ３２の「Ｎｏ」）、ステップＳ３５に移行する。第２の領域Ａ２の消灯条件が成立している場合には（ステップＳ３２の「Ｙｅｓ」）、第２の領域Ａ２を消灯させた後（ステップＳ３３）、アクティブウィンドウの位置とサイズを第１の領域Ａ１のサイズに変更し、また、マウスカーソルの位置を点灯領域の中央に配置した後、ステップＳ３５に移行する。
【００３９】
ステップＳ３５では、第２の領域Ａ２の全灯条件が成立しているか否かを判断する。第２の領域Ａ２の全灯条件が成立していない場合には（ステップＳ３５の「Ｎｏ」）、ステップＳ３８に移行する。第２の領域Ａ２の全灯条件が成立している場合には（ステップＳ３５の「Ｙｅｓ」）、第２の領域Ａ２を全灯させた後（ステップＳ３６）、アクティブウィンドウの位置とサイズを、第１および第２の領域Ａ１、Ａ２のサイズに変更し（ステップＳ３７）、ステップＳ３８に移行する。
【００４０】
ステップＳ３８では、第２の領域Ａ２の減灯条件が成立するか否かを判断する。第２の領域Ａ２の減灯条件が成立しない場合には（ステップＳ３８の「Ｎｏ」）、ステップＳ４０に移行する一方、第２の領域Ａ２の減灯条件が成立する場合には（ステップＳ３８の「Ｙｅｓ」）、第２の領域Ａ２を減灯させた後（ステップＳ３９）、ステップＳ４０に移行する。ステップＳ４０では、第３の領域Ａ３の減灯条件が成立するか否かを判断する。第３の領域Ａ３の減灯条件が成立しない場合には（ステップＳ４０の「Ｎｏ」）、ステップＳ２３に移行する一方、第３の領域Ａ３の減灯条件が成立する場合には（ステップＳ４０の「Ｙｅｓ」）、第３の領域Ａ３を減灯させた後（ステップＳ４１）、ステップＳ２３に移行する。
【００４１】
ステップＳ２３では、第２の領域Ａ２の消灯条件が成立するか否かを判断する。第２の領域Ａ２の消灯条件が成立しない場合には（ステップＳ２３の「Ｎｏ」）、ステップＳ２５に移行する一方、第２の領域Ａ２の消灯条件が成立する場合には（ステップＳ２３の「Ｙｅｓ」）、第２の領域Ａ２を消灯させた後（ステップＳ２４）、ステップＳ２５に移行する。ステップＳ２５では、第３の領域Ａ３の消灯条件が成立するか否かを判断する。第３の領域Ａ３の消灯条件が成立しない場合には（ステップＳ２５の「Ｎｏ」）、当該フローを終了する一方、第３の領域Ａ３の消灯条件が成立する場合には（ステップＳ２５の「Ｙｅｓ」）、第３の領域Ａ３を消灯させた後（ステップＳ２６）、当該フローを終了する。
【００４２】
つぎに、図５〜図７−２を参照して、パワーマネージャ１４ｃが実行する第２の省電力処理を説明する。図５および図６は、第２の省電力処理の一例を説明するための説明図、図７−１および図７−２は、パワーマネージャ１４ｃが実行する第２の省電力処理を説明するためのフローチャートである。
【００４３】
図５において、Ｄ４に示すように、第１，第２の領域Ａ１が全灯、第３の領域３が消灯している場合において、マウスカーソルＣ１が点灯領域である第１，第２の領域Ａ１，Ａ２から消灯領域である第３の領域Ａ３に移動した場合には、消灯領域である第３の領域Ａ３を減灯させる（Ｄ５）。これにより、ユーザは、第３の領域Ａ３に表示されている情報を視認可能となり、画面操作が可能となる。また、マウスカーソルＣ１が減灯領域である第３の領域Ａ３から点灯領域である第１、第２の領域Ａ１、Ａ２に移動した場合には、消灯領域である第３の領域Ａ３を消灯させる（Ｄ４）。このように、マウスカーソルＣ１の位置に応じて、消灯⇔減灯を変更することとしたので、ユーザの利便性（ＯＳの機能）を損なうことなく、消費電力を低減させることができる。
【００４４】
図６において、バッテリ動作中に、バッテリ残量が５０％以上の場合には、第１〜第３の領域Ａ１〜Ａ３を全灯させて、フル画面表示を行う。バッテリ残量が２５％以上で５０％未満の場合には、第３の領域Ａ３を消灯させて、画面サイズを４：３にする（Ｄ６）。バッテリ残量が２５％未満の場合には、第２，第３の領域Ａ２，Ａ３を消灯させて、画面サイズを半分にする（Ｄ７）。このように、バッテリ残量に応じて、ＬＣＤ７０の点灯領域の大きさを変更することで、ユーザの利便性（ＯＳの機能）を損なうことなく、消費電力を低減させることができる。なお、ＬＣＤ７０の消灯させる領域を、ユーザが選択可能な構成としてもよい。
【００４５】
図７−１および図７−２に示すフローチャートを参照して、パワーマネージャ１４ｃが実行する第２の省電力処理を具体的に説明する。図７−１において、まず、パワーマネージャ１４ｃは、バッテリ２０で動作中か否かを判断する（ステップＳ１０１）。バッテリで動作中でない場合には（ステップＳ１０１の「Ｎｏ」）、第２，３の領域Ａ２，Ａ３で消灯中若しくは減灯中の領域があるか否かを判断する（ステップＳ１１１）。第２，第３の領域Ａ２，Ａ３で、消灯中若しくは減灯中の領域がない場合には（ステップＳ１１１の「Ｎｏ」）、ステップＳ１０６に移行する一方、第２，第３の領域Ａ２，Ａ３で、消灯中若しくは減灯中の領域がある場合には（ステップＳ１１１の「Ｙｅｓ」）、第２、第３の領域Ａ２，Ａ３を全灯した後（ステップＳ１１２）、ステップＳ１０６に移行する。ステップＳ１０６では、Ｔ１秒待機した後、ステップＳ１０１に戻り、同一の処理を行う。
【００４６】
他方、バッテリ２０が動作中である場合には（ステップＳ１０１の「Ｙｅｓ」）、第２，３の領域Ａ２，Ａ３で１つ以上の領域が全灯中か否かを判断する（ステップＳ１０２）。第２，３の領域Ａ２，Ａ３で１つ以上の領域が全灯中である場合には（ステップＳ１０２の「Ｙｅｓ」）、パワーコントローラ２１から現在のバッテリ残量を取得する（図７−２のステップＳ１２１）。そして、バッテリ残量が５０％以上であるか否かを判断する（ステップＳ１２２）。バッテリ残量が５０％以上である場合には（ステップＳ１２２の「Ｙｅｓ」）、図７−１のステップＳ１０３に移行する。
【００４７】
バッテリの残量が５０％以上でない場合には（ステップＳ１２２の「Ｎｏ」）、バッテリ残量が２５％以上であるか否かを判断する（ステップＳ１２３）。バッテリ残量が２５％以上である場合には（ステップＳ１２３の「Ｙｅｓ」）、第３の領域Ａ３が全灯中であるか否かを判断する（ステップＳ１２４）。第３の領域Ａ３が全灯中でない場合には（ステップＳ１２４の「Ｎｏ」）、図７−１のステップＳ１０３に移行する。また、第３の領域Ａ３が全灯中である場合には（ステップＳ１２４の「Ｙｅｓ」）、第３の領域Ａ３を消灯した後（ステップＳ１２６）、図７−１のステップＳ１０３に移行する。すなわち、バッテリ動作中において、バッテリ残量が２５％以上で５０％未満の場合には、第３の領域Ａ３を消灯させて、画面サイズを４：３にする（上記図６参照）。
【００４８】
バッテリ残量が２５％以上でない場合には（ステップＳ１２３の「Ｎｏ」）、第２の領域Ａ２が全灯中であるか否かを判断する（ステップＳ１２５）。第２の領域Ａ２が全灯中でない場合には（ステップＳ１２５の「Ｎｏ」）、図７−１のステップＳ１０３に移行する。また、第２の領域Ａ２が全灯中である場合には（ステップＳ１２５の「Ｙｅｓ」）、第２，第３の領域Ａ２，Ａ３を消灯した後（ステップＳ１２９）、図７−１のステップＳ１０３に移行する。すなわち、バッテリ動作中において、バッテリ残量が２５％未満の場合には、第２，第３の領域Ａ２，Ａ３を消灯させて、画面サイズを半分にする（上記図６参照）。
【００４９】
図７−１のステップＳ１０３では、マルチタスクＯＳ１４ａから現在のマウスカーソルＣ１の位置を取得する。続いて、第２，第３の領域Ａ２，Ａ３が消灯中か否かを判断する（ステップＳ１０４）。第２，第３の領域Ａ２，Ａ３が消灯中でない場合には（ステップＳ１０４の「Ｎｏ」）、ステップＳ１０５に移行する。
【００５０】
第２，第３の領域Ａ２，Ａ３が消灯中である場合には（ステップＳ１０４の「Ｙｅｓ」）、マウスカーソルＣ１の位置が第２、第３の領域Ａ２、Ａ３にあるか否かを判断する（ステップＳ１４１）。マウスカーソルＣ１の位置が第２、第３の領域Ａ２，Ａ３にない場合には（ステップＳ１４１の「Ｎｏ」）、ステップＳ１０５に移行する。また、マウスカーソルＣ１の位置が第２、第３の領域Ａ２，Ａ３にある場合には（ステップＳ１４１の「Ｙｅｓ」）、第２，第３の領域Ａ２，Ａ３を減灯した後（ステップＳ１４２）、ステップＳ１０５に移行する。すなわち、バッテリ動作中において、マウスカーソルＣ１が、ＬＣＤ７０の全灯領域から消灯領域に移動した場合には、当該消灯領域を減灯にして、ユーザに視認可能とし、ユーザが利用できるようにする（上記図５参照）。
【００５１】
ステップＳ１０５では、第２，第３の領域Ａ２，Ａ３が減灯中か否かを判断する。第２，第３の領域Ａ２，Ａ３が減灯中でない場合には（ステップＳ１０５の「Ｎｏ」）、Ｔ１秒待機した後（ステップＳ１０６）、ステップＳ１０１に戻り、同一の処理を行う。
【００５２】
第２，第３の領域Ａ２，Ａ３が減灯中である場合には（ステップＳ１０５の「Ｙｅｓ」）、マウスカーソルＣ１の位置が第１の領域Ａ１にあるか否かを判断する（ステップＳ１５１）。マウスカーソルＣ１の位置が第１の領域Ａ１にない場合には（ステップＳ１５１の「Ｎｏ」）、ステップＳ１０６に移行する。また、マウスカーソルＣ１の位置が第１の領域Ａ１にある場合には（ステップＳ１５１の「Ｙｅｓ」）、第２，第３の領域Ａ１を消灯した後（ステップＳ１５２）、ステップＳ１０６に移行する。すなわち、バッテリ動作中において、マウスカーソルＣ１がＬＣＤ７０の減灯領域から全灯領域に移動した場合には、当該減灯領域を消灯にして、電力の消費を低減する。
【００５３】
なお、上記した第１の省電力処理および第２の省電力処理は、組み合わせて実施することにしてもよいし、いずれか一方のみを実施することにしてもよい。
【００５４】
以上説明したように、本実施例によれば、画面上に情報を表示するためのＬＣＤ７０と、ＬＣＤ７０背面側から光を照射してＬＣＤ７０を照明するバックライト装置と、バックライト装置の点灯を制御するパワーマネージャ１４ｃとを備え、バックライト装置は複数のブロックに分割された光源を備えており、パワーマネージャ１４ｃは、各ブロックの光源の第１の点灯、第１の点灯より輝度の低い第２の点灯、および消灯を個別に制御して、各ブロックに対応するＬＣＤ７０の第１〜第３の領域Ａ１〜Ａ３を第１の点灯、第２の点灯、または消灯させることとしたので、消費電力の低減とユーザの利便性とを両立させることが可能となる。
【００５５】
また、パワーマネージャ１４ｃは、マウスカーソルＣ１がＬＣＤ７０の第１の点灯領域から消灯領域に移動した場合には、当該消灯領域を第２の点灯とすることとしたので、ユーザが使用しているウィンドウ以外の画面上に表示される他の情報を簡単に確認することができ、ユーザの利便性を向上させることが可能となる。
【００５６】
また、パワーマネージャ１４ｃは、マウスカーソルＣ１がＬＣＤ７０の第２の点灯領域から第１の点灯領域に移動した場合には、当該第２の点灯領域を消灯させることとしたので、消費電力を低減することが可能となる。
【００５７】
また、パワーマネージャ１４ｃは、ＬＣＤ７０上のアクティブウィンドウのサイズを、点灯する領域のサイズに変更した後、アクティブウィンドウ以外の領域を第２の点灯または消灯することとしたので、ユーザは大きなアクティブウィンドウを使用することができ、ユーザの操作性と消費電力の削減を両立させることが可能となる。
【００５８】
また、パワーマネージャ１４ｃは、バッテリ駆動時に、バッテリ残量に基づいて、ＬＣＤ７０の第１の点灯領域のサイズを変更することとしたので、ユーザの利便性を損なうことなく、消費電力を低減させることができる。
【００５９】
また、バックライト装置は、光を発するライン型ＬＥＤモジュールと、ライン型ＬＥＤモジュールから発せられた光を反射させる反射板とを備えているので、低コストかつコンパクトな構成でバックライト装置を構成することが可能となる。
【００６０】
なお、上記記実施例では、表示パネルとして、ＬＣＤ（液晶表示パネル）を使用することとしたが本発明はこれに限られるものではなく、他のバックライト型の表示パネルを使用することにしてもよい。また、上記実施例では、バックライト装置として、ライン型ＬＥＤモジュールを使用することとしたが、本発明はこれに限られるものではなく、複数のブックに分割して、ブロック毎に独立して点灯可能な構成であればよく、他の光源、例えば、ＥＬ素子等を使用することにしてもよく、また、全画面型の照明を使用することにしてもよい。また、上記実施例では、ライン型ＬＥＤモジュールを３分割した場合について説明したが、本発明はこれに限られるものではなく、ＬＣＤ７０の画面の大きさに応じて２分割または４分割以上にすることにしてもよい。また、上記実施例では、画面上で位置指示を与える位置指示手段として、マウスカーソルを例示して説明したが、本発明はこれに限られるものではなく、キーボードのキーカーソル、スライスパッドのカーソル等、他のカーソルにも本発明は適用可能である。
【産業上の利用可能性】
【００６１】
本発明に係る表示装置およびその電力制御用プログラムは、バックライト駆動型の各種の表示装置に適用可能である。
【図面の簡単な説明】
【００６２】
【図１】本発明にかかる表示装置をバッテリ駆動型のノートパソコンに適用した場合の概略のハードウェア構成例を示す図である。
【図２】表示ユニットの構成を説明するための模式図である。
【図３】第１の省電力処理を説明するための説明図である。
【図４−１】パワーマネージャが実行する第１の省電力処理を説明するためのフローチャートである。
【図４−２】パワーマネージャが実行する第１の省電力処理を説明するためのフローチャートである。
【図５】第２の省電力処理を説明するための説明図である。
【図６】第２の省電力処理を説明するための説明図である。
【図７−１】パワーマネージャが実行する第２の省電力処理を説明するためのフローチャートである。
【図７−２】パワーマネージャが実行する第２の省電力処理を説明するためのフローチャートである。
【符号の説明】
【００６３】
１１  ＣＰＵ
１２  ＲＯＭ
１３  ＲＡＭ
１４  ＨＤＤ（ハードディスク）
１５  光学ディスク装置
１６  表示ユニット
１７  ネットワークカード
１８  入力部
１９  ＵＳＢポート
２０  バッテリ
２１  パワーコントローラ
２２  ＤＣ−ＤＣコンバータ
２３  ＡＣアダプタ 
３０  バックライトコントローラ
４０ａ〜４０ｃ  第１〜第３のＬＥＤＣ（第１〜第３のＬＥＤコントローラ）
５０ａ〜５０ｃ  第１〜第３のＬＥＤＢ（第１〜第３のＬＥＤブロック）
６０  ＬＣＤコントローラ
７０  ＬＣＤ（液晶表示パネル）
【図１】
0004813457.tif 000002
【図２】
0004813457.tif 000003
【図３】
0004813457.tif 000004
【図４−１】
0004813457.tif 000005
【図４−２】
0004813457.tif 000006
【図５】
0004813457.tif 000007
【図６】
0004813457.tif 000008
【図７−１】
0004813457.tif 000009
【図７−２】
0004813457.tif 000010